(57)【要約】  エンクロージャを備える回路遮断器であって、アーク接触子が互いに分離される回路遮断器の開位置と、アーク接触子が互いに接触する回路遮断器の閉位置との間で互いに対して軸方向に移動可能な、少なくとも２つのアーク接触子と、アーク接触子が回路遮断器の閉位置から開位置に移動している間に形成される可能性がある電気アークを遮断するために、アーク制御ガスを吹き付けるように構成されたガス入口であって、アーク制御ガスは少なくとも８０％の二酸化炭素を含む、ガス入口とを備え、エンクロージャは、アーク放電中に二酸化炭素がイオン化された後に形成される一酸化炭素を二酸化炭素に変換する触媒物質をさらに含み、触媒物質は、セリアおよび貴金属を含む。【選択図】なし【特許請求の範囲】
【請求項１】
エンクロージャを備える回路遮断器であって、
互いに対して軸方向に移動可能な少なくとも２つのアーク接触子であって、前記アーク接触子が互いに分離される前記回路遮断器の開位置と、前記アーク接触子が互いに接触する前記回路遮断器の閉位置との間で移動可能な、少なくとも２つのアーク接触子と、
前記アーク接触子が前記回路遮断器の前記閉位置から前記開位置に移動している間に形成される可能性がある電気アークを遮断するために、アーク制御ガスを吹き付けるように構成されたガス入口であって、前記アーク制御ガスは少なくとも８０％の二酸化炭素を含む、ガス入口とを備え、
前記エンクロージャは、アーク放電中に前記二酸化炭素がイオン化された後に形成される一酸化炭素を二酸化炭素に変換する触媒物質をさらに含み、前記触媒物質は、セリアおよび貴金属を含む、
回路遮断器。
【請求項２】
前記貴金属が金または白金である、請求項１に記載の回路遮断器。
【請求項３】
前記触媒物質が、０．５重量％〜２０重量％、好ましくは０．５％〜５重量％の貴金属を含む、請求項１乃至２のいずれか一項に記載の回路遮断器。
【請求項４】
前記触媒物質が粒子の形状である、請求項１または３に記載の回路遮断器。
【請求項５】
前記粒子の直径が１ｍｍ〜１０ｍｍ、好ましくは１ｍｍ〜５ｍｍである、請求項４に記載の回路遮断器。
【請求項６】
前記触媒物質が、コージェライト基板などのセラミック基板によって支持される、請求項１乃至３のいずれか一項に記載の回路遮断器。
【請求項７】
前記アーク制御ガスが、二酸化炭素ＣＯ２で構成される、請求項１乃至６のいずれか一項に記載の回路遮断器。
【請求項８】
前記アーク制御ガスが、ＣＯ２と、２，３，３，３−テトラフルオロ−２−（トリフルオロメチル）−２−プロパンニトリル、１，１，１，３，４，４，４−ヘプタフルオロ−３−（トリフルオロメチル）−２−ブタノン、２，３，３，３−テトラフルオロプロペン、１，３，３，３−テトラフルオロプロペンまたはフルオロオキシランなどの少なくとも１つのフッ素化合物とを含むガス混合物である、請求項１乃至６のいずれか一項に記載の回路遮断器。
【請求項９】
請求項１乃至８のいずれか一項で定義されているような回路遮断器を備える、空気絶縁開閉装置（ＡＩＳ）。
【請求項１０】
請求項１乃至８のいずれか一項で定義されているような回路遮断器を備える、ガス絶縁開閉装置（ＧＩＳ）。
【発明の詳細な説明】
【技術分野】
【０００１】
本発明は、中圧装置および高圧装置の電気絶縁、ならびに電気アーク消滅の分野に関する。
【０００２】
より詳細には、アーク放電中に形成される一酸化炭素を二酸化炭素に変換するセリア系触媒物質を含む、中圧装置および高圧装置の回路遮断器に関する。
【背景技術】
【０００３】
アークブラスト回路遮断器は、アーク接触子が互いに分離される回路遮断器の開位置と、アーク接触子が互いに接触する回路遮断器の閉位置との間で互いに対して軸方向に移動可能な、少なくとも２つのアーク接触子を備える。回路遮断器では、電流は通常は分離アーク接触子によって遮断される。回路遮断器の閉位置から開位置までにおいて、電気アークは前述した接触子同士の間で形成されやすい。電気アークを遮断するために、絶縁誘電ガスがアークに吹き付けられ、これによって前述したアークを冷却して消滅させることが可能になる。
【０００４】
現在、この種の回路遮断器に最も頻繁に使用されるアーク制御ガスは六フッ化硫黄ＳＦ６であり、これはこのガスの物理特性が非常に優れていることによる。しかしながら、ＳＦ６は地球温暖化係数（ＧＷＰ）が特に高く、非常に強力な温室効果ガスになるという大きな欠点がある。
【０００５】
アーク制御ガスとして使用されるＳＦ６の代替物の中で、乾燥空気や窒素など、地球温暖化係数がＳＦ６よりも低いさまざまなガスが知られている。
【０００６】
特に有利なアーク制御ガスは二酸化炭素ＣＯ２であり、これはその強力な電気絶縁性能および消弧性能による。さらにＣＯ２は無毒で不燃性であり、ＧＷＰが非常に低く、また取得が容易である。
【０００７】
ＣＯ２は単独で、あるいは「ベクトルガス」と呼ばれる主ガスを構成するガス混合物の形態で使用することができる。例えば、Ａｌｓｔｏｍ社によってｇ３（または「ｇｒｅｅｎ  ｇａｓ  ｆｏｒ  ｇｒｅｅｎ」）という名称で一般的に市販されている、ＣＯ２（１００−ｘ）％をフッ素化ガスｘ％（ｘ≦１０％）と混合したガス状媒体は、ＳＦ６の代替として適している。ＳＦ６に匹敵する、あるいはそれ以上の消弧性能を与えるこのガス混合物は、環境にほとんど、またはまったく影響を及ぼさず（ＳＦ６のＧＷＰよりもＧＷＰが９８％低い）、その費用は工業規模で開閉装置を製造する際の使用に適合し、人間および動物に対して無毒である。
【０００８】
しかし、ＳＦ６がアーク放電による分解後に再結合する特性を有するのとは異なり、ＣＯ２はまったく再結合せず、すなわちおびただしい量の有毒なガス状の一酸化炭素ＣＯと、炭素粉とを生成する。その結果、電流を遮断するために、回路遮断器の内部で当初はガス状で存在する二酸化炭素の量は、回路遮断器によって行われる遮断の回数が増加するにつれて減少する。したがって、ＣＯをＣＯ２に変換することは重要な課題である。
【０００９】
さまざまな文献に、主に自動車用途のＣＯ変換について記載されている。米国特許出願公開第２００３／００９９５８６号明細書、および米国特許出願公開第２００４／０１７５３１９号明細書は、大過剰の水素が存在する中でＣＯを酸化させてＣＯ２にするための触媒として、酸化金および酸化鉄を含む物質を使用することについて説明している。ガス混合物は、酸素供給源として空気を含む。米国特許第５，１１２，７８７号明細書では、金と、酸化鉄、酸化コバルト、または酸化ニッケルの中から選択された少なくとも１つの酸化物との混合物が、１００℃より低い温度下で空気中の一酸化炭素を酸化させるのに使用されている。
【００１０】
米国特許出願公開第２０１１／０２１７２１６号明細書では、パラジウム、セリア、および白金を含む物質が、特にリッチなエンジン動作条件下での排気ガス中の二酸化炭素の変換を提供する。
【００１１】
排気ガス中の超過ＣＯを酸化させることは、米国特許出願公開第２０１６／０１２９４２２号明細書においても、１００℃〜７００℃の範囲の温度下で、パラジウムとセリア含有物質とを含む触媒を用いて行われている。
【００１２】
米国特許出願公開第２００７／００５６６０１号明細書では、酸化セリウム上に金ナノドットを含む、例えば、タバコまたは空気フィルタ用の触媒が室温で作用する。
【００１３】
これらの文献は全体的にみて、触媒物質の合成に注目している。さらに、比較的低温で動作している場合があるにもかかわらず、変換プロセスに酸素ガス（排気ガス、空気フィルタ、タバコ中に存在する）を使用している。
【００１４】
しかしながら、電気アーク消滅の分野では、媒体に酸素ガスはない。
【先行技術文献】
【特許文献】
【００１５】
【特許文献１】国際公開第２０１７／１７４４９６号パンフレット
【発明の概要】
【００１６】
本発明は、（１００℃より低い）低温下で、ガス誘電特性を損なうことなく、無酸素ガス混合物内のＣＯガスをＣＯ２に変換する物質を含む、回路遮断器を提案することを意図している。
【００１７】
このような目的は、エンクロージャを備える回路遮断器を提供する本発明によって達成され、回路遮断器は、
−アーク接触子が互いに分離される回路遮断器の開位置と、アーク接触子が互いに接触する回路遮断器の閉位置との間で、互いに対して軸方向に移動可能な、少なくとも２つのアーク接触子と、
−アーク接触子が回路遮断器の閉位置から開位置に移動している間に形成される可能性がある電気アークを遮断するために、アーク制御ガスを吹き付けるように構成されたガス入口であって、アーク制御ガスは少なくとも８０％の二酸化炭素を含む、ガス入口とを備え、
エンクロージャは、アーク放電中に二酸化炭素がイオン化された後に形成される一酸化炭素を二酸化炭素に変換する触媒物質をさらに含み、前記触媒物質は、セリアおよび貴金属を含む。
【００１８】
無酸素媒体内でセリアが使用されるのは意外なことである。予想外なことに、セリアが存在することによって、このような触媒物質を使用して、酸素のない媒体内でも変換を行えることがわかった。セリアは、酸素タンク貯槽の役割を果たす。変換機構は、還元性酸化物（セリア）から貴金属へ酸素が移行することを含む。還元性酸化物によって、金属の酸化物がいくつかの酸化状態を有し得ることは理解されよう。
【００１９】
この物質は、低温下（２００℃より低く、好ましくは１００℃より低い）でも一酸化炭素を中和することを可能にする。
【００２０】
絶縁ガスを良好に再生することによって、その特性が維持され、かつその寿命が向上する。
【００２１】
この触媒物質は、すなわち製造プロセスに関して、その嵩が増加することなく、かつ費用が顕著に増加することなく、回路遮断器に取り付けるのに適している。
【００２２】
有利には、貴金属は金または白金である。
【００２３】
有利には、触媒物質は０．５重量％〜２０重量％、好ましくは０．５重量％〜５重量％の貴金属を含む。このような比率によって、費用を最小化しながら効率を最大化する。
【００２４】
有利には、触媒物質は粒子の形状になっている。これにより、表面積を増加させることができる。
【００２５】
有利には、粒子の直径は１ｍｍ〜１０ｍｍ、好ましくは１ｍｍ〜５ｍｍである。このような大きさの粒子は、従来の安価な方法で取得するのが比較的容易である。
【００２６】
別の実施形態によれば、触媒物質は、コージェライト基板などのセラミック基板によって支持される。セラミック基板は耐熱性が高く、回路遮断器用途に適している。
【００２７】
有利には、アーク制御ガスは二酸化炭素ＣＯ２で構成される。
【００２８】
本発明の第２の変形例では、アーク制御ガスは、ＣＯ２と、２，３，３，３−テトラフルオロ−２−（トリフルオロメチル）−２−プロパンニトリル、１，１，１，３，４，４，４−ヘプタフルオロ−３−（トリフルオロメチル）−２−ブタノン、２，３，３，３−テトラフルオロプロペン、１，３，３，３−テトラフルオロプロペンまたはフルオロオキシランなどの少なくとも１つのフッ素化合物とを含むガス混合物である。
【００２９】
触媒物質は、さまざまなアーク制御ガスの一酸化炭素を変換するために使用することができる。
【００３０】
本発明は、前述において定義したような回路遮断器を備える、空気絶縁開閉装置（ＡＩＳ）をさらに提供する。
【００３１】
本発明は、前述において定義したような回路遮断器を備える、ガス絶縁開閉装置（ＧＩＳ）をさらに提供する。
【００３２】
本発明は、後述する本発明による回路遮断器に関する追加の説明を読むことで、よりよく理解することができる。
【００３３】
しかし当然のことながら、この追加の説明は単に本発明を例示する目的で述べられており、決して前述の発明を限定するものではない。
【発明を実施するための形態】
【００３４】
回路遮断器は、中圧または高圧の回路遮断器であってもよい。
【００３５】
前述および後述において、「中圧」および「高圧」という用語は従来認められている用法で使用されており、すなわち「中圧」という用語は７．２ｋＶ〜５２ｋＶの範囲の圧力を指し、「高圧」という用語は５２ｋＶ〜８００ｋＶの範囲の圧力を指す。
【００３６】
回路遮断器は閉じたエンクロージャを備え、前記のエンクロージャの内部には所定の数の電気的および／または機械的な部品が収容されている。エンクロージャは、漏出防止エンクロージャである。
【００３７】
エンクロージャの容積は、５０Ｌ〜１０００Ｌであってもよい。
【００３８】
エンクロージャは、電気アークを消すためにこれにアーク制御ガスを吹き付けるように構成された、ガス入口を備える。ガスは、ノズルで噴射されてもよい。エンクロージャは、ガス出口をさらに含む。
【００３９】
触媒物質は、アーク放電中に形成されるＣＯ分子を含むガス流と接触するように、かつこれを二酸化炭素に変換するために配置される。触媒物質は、アーク接触子に近接して配置されてもよい。
【００４０】
別の実施形態によれば、触媒物質は回路遮断器のガス出口に配置される。
【００４１】
アーク制御ガスは、誘電体絶縁ガスである。
【００４２】
アーク制御ガスは、少なくとも８０体積％、かつ好ましくは少なくとも９０体積％の二酸化炭素を含む。例えば、二酸化炭素（８０〜１００％）と、１つ以上のフッ素化合物（０〜２０％）との混合物であってもよい。好ましくは、二酸化炭素（９０〜９７、好ましくは９０〜９６％）と、１つ以上のフッ素化合物（３〜１０％、好ましくは４〜１０％）との混合物である。例示する目的で述べると、フッ素化合物は、Ａｌｓｔｏｍ社によってＮｏｖｅｃ４７１０（化学式（ＣＦ３）２ＣＦＣＮの２，３，３，３−テトラフルオロ−２−（トリフルオロメチル）−２−プロパンニトリル）、またはＮｏｖｅｃ５１１０（化学式ＣＦ３Ｃ（Ｏ）ＣＦ（ＣＦ３）２の１，１，１，３，４，４，４−ヘプタフルオロ−３−（トリフルオロメチル）−２−ブタノン）という名称で商品化されている化合物であってもよい。また、２，３，３，３−テトラフルオロプロペン（ＨＦＯ−１２３４ｙｆ）、１，３，３，３−テトラフルオロプロペン（ＨＦＯ−１２３４ｚｅ）、またはフルオロオキシランであってもよい。
【００４３】
ヘプタフルオロイソブチロニトリルおよびテトラフルオロメタンなどの２つのフッ素化合物もまた、関連して使用することができる。
【００４４】
触媒は、ＣＯ２量が少ないガスに使用できることに留意されたい。ガス混合物にＣＯ２が存在する限り、高圧回路遮断器のアーク放電によってＣＯが形成される可能性があり、ＣＯ変換システムが必要とされる。
【００４５】
別の実施形態では、ガスは二酸化炭素で構成することができる。
【００４６】
アーク制御ガスは無酸素である。無酸素であることによって、アーク制御ガスが含む酸素ガスは０．１体積％未満、好ましくは０．０２％未満であることが理解されよう。
【００４７】
有利には、誘電体絶縁ガスは、装置の使用温度にかかわらず完全にガスの状態で装置内に存在する。したがって、装置内のガスの圧力については、前述した装置の最低使用温度における、ガスによってもたらされる飽和蒸気圧（ＳＶＰ）の関数として選択されることが望ましい。
【００４８】
アーク放電中に、二酸化炭素はイオン化されて一酸化炭素になる。形成されるＣＯの量は、プロセスに関与する動作および化学反応の物理的条件に依存する。この量は、数ｐｐｍから数％まで、例えば、１ｐｐｍから５％まで変化する。
【００４９】
一酸化炭素変換は、酸化物系触媒を使用して達成される。この用途に対して有用な還元性酸化物は、ＴｉＯ２やＣｅＯ２など数少ない。セリアＣｅＯ２は、酸素運搬能力および酸化還元反応速度を向上させる最善の手段となる酸化物である。
【００５０】
セリア（ＣｅＯ２）は、セリウム酸化物（ｃｅｒｉｃ  ｏｘｉｄｅ）、セリウム二酸化物（ｃｅｒｉｃ  ｄｉｏｘｉｄｅ）、酸化セリウム（ｃｅｒｉｕｍ  ｏｘｉｄｅ）、または二酸化セリウム（ｃｅｒｉｕｍ  ｄｉｏｘｉｄｅ）としても知られている。セリアは、金、パラジウム、白金、およびロジウムなどの貴金属と組み合わせて使用される。セリアは白金および／または金と組み合わせて使用されることが好ましい。貴金属は、粒子の形状であることが好ましい。通常、貴金属は一酸化炭素と直接接触するようにセリアの外面に配置される。
【００５１】
セリアは、その酸化還元特性により酸素貯蔵物質と考えられ、セリア「ＣｅＯ２」中のセリウム「Ｃｅ」は、酸化数＋４と＋３とを転換する能力を有する。その結果、セリアは、ＣＯの変換／酸化に必要な酸素原子を供給することができる。有利には、セリア表面に貴金属が存在することによってその還元性が向上する。
【００５２】
ＣＯの全体的な酸化反応はＭａｒｓ  Ｖａｎ  Ｋｒｅｖｅｌｅｎ機構に従い、セリアから一酸化炭素への酸素の移行を含み、２ＣｅＯ２＋ＣＯ→ＣＯ２＋Ｃｅ２Ｏ３となる。
【００５３】
より詳細には、一方において貴金属表面（白金など）にＣＯが吸着される。
【００５４】
他方において、酸素はバルクから拡散によってセリア表面に移動する。セリアの支持によって生成された酸素もまた、白金に吸着する。
【００５５】
次に、セリア表面にわたって実装された白金サイトでＯ２が分離して２Ｏ−になり、かつＣＯが酸化されてＣＯ２になり、ＣＯ＋１／２  Ｏ２→ＣＯ２となる。
【００５６】
最後に、ＣＯ２が白金表面から脱着する。
【００５７】
触媒物質は、０．５重量％〜２０重量％、好ましくは０．５重量％〜５重量％の貴金属を含む。
【００５８】
別の実施形態では、触媒物質は、金属酸化物、および／またはランタニド（ｌａｎｔｈａｎｉｄｅ）などの１つ以上の追加の化合物を含んでもよい。例えば、触媒物質は、ＺｒＯ２などの金属転移酸化物を含んでもよく、これは煤変換（ｓｏｏｔ  ｃｏｎｖｅｒｓｉｏｎ）に関与し得る。
【００５９】
別の実施形態によれば、触媒物質は還元性酸化物および貴金属からなる。
【００６０】
電気アークが消されて一酸化炭素が形成される度に、セリア系触媒はこれを二酸化炭素に変換する。
【００６１】
いくつかのセリア系触媒が、分光およびガスクロマトグラフィを使用して良好に機能しテストされている。
【００６２】
テストは、触媒と接触させた試料（ガス混合物）を収容する気密テストセル内の、ＣＯ（およびＣＯ２）の量の変化を数時間／数日間追跡することで構成される。
【００６３】
前述したようなセリア系触媒は、実用可能なことが証明されている。このような物質によってＣＯガスがＣＯ２ガスに良好に変換され、その結果、絶縁ガス混合物による優れたアーク制御の実行が可能になり、その効果が持続する。
【００６４】
触媒物質は、触媒粒子の粉末であってもよい。触媒粒子は直径が数ミリメートルであってもよく、例えば、１ｍｍ〜１０ｍｍ、好ましくは１ｍｍ〜５ｍｍであってもよい。
【００６５】
本発明の触媒物質は、任意の適切な基板上に堆積されてもよい。有利には、基板は高比表面を提供する。例えば、基板は、円筒形のモノリス部材の１つの面から他方の面に延びる、細くて平行なガス流路を画定する複数のセルを含む、コージェライト基板などのセラミック基板であってもよい。このような基板は「ハニカム」または「モノリシック」な形状を有する。炭素粉を捕捉するには、ハニカムフィルタも有用である。セラミック基板は、アルミノケイ酸塩基板であってもよい。
【００６６】
あるいは、触媒物質は、ペレットまたは粒子などの粒子支持体上で分散させることができる。
【００６７】
好ましい実施形態によれば、触媒物質は、コージェライトハニカム支持体を有する。この支持体は、優れた熱衝撃耐性を与える。また、コージェライト結晶は、触媒内における一軸に沿った熱膨張が非常に小さく有用である。
【００６８】
本発明による回路遮断器は、小型の構造を有する。
【００６９】
電気アークが形成されると、エンクロージャの内部にガス状で存在するＣＯ２の分画の一部が、分子量がより小さい分子種に分解されてＣＯ２よりも小さくなる。これは、ＣＯ２の分圧をそのＳＶＰよりも低くなるように低下させながら、エンクロージャの内部に存在する全圧力を上昇させる効果がある。
【００７０】
本発明の回路遮断器内でこのようにして形成された一酸化炭素分子は、触媒物質によってＣＯ２に変換され、これはＣＯ２の分圧をそのＳＶＰと等しい値に戻す効果がある。
【００７１】
この触媒物質の効果は十分なものであり、一酸化炭素の形成が、エンクロージャ内に存在する全圧力の過剰な増加につながることはなく、したがって前述したエンクロージャ内にガス状で存在する二酸化炭素の分画が、過度に減少する結果になることはない。
【００７２】
この機構を使用することにより、ＣＯ２の体積は、開閉装置によって行われる遮断の回数にかかわらず、所与の温度に対して安定または準安定に保持することができる。
【００７３】
当業者であれば、処理されるＣＯガスの体積、および関与するエンクロージャの形状に従って、適切な量のセリア系触媒物質を選択できるであろう。例えば、セリアの量は、回路遮断器の全寿命にわたってシミュレートされるアーク放電後に、回路遮断器内で形成される可能性があるＣＯの量の関数として計算される。これはアーク放電のエネルギーに依存し、したがって回路遮断器の種類に依存する。例示する目的で述べると、２０年毎にメンテナンスが行われると考えてもよく、その際に必要に応じて、回路遮断器が開かれて触媒が新しいものに交換されてもよい。
【００７４】
前述したさまざまな実施形態の概念は、軸方向ブラストタイプまたは横方向ブラストタイプ、あるいは軸方向と横方向との混合ブラストタイプの遮断室を有する回路遮断器などの、さまざまな種類の回路遮断器に効果的に適用することができる。
【００７５】
例示する目的で述べると、回路遮断器は、ＣＯ２ガス電気絶縁を使用する任意の電気的装置、すなわち変圧器、送電線または配電線、母線一式、スイッチ、コネクタ／断路器（開閉装置とも呼ばれる）、回路遮断器をヒューズに結合するユニット、接地スイッチ、あるいは接触器に使用することができる。
【００７６】
回路遮断器は、空気絶縁開閉装置（ＡＩＳ）またはガス絶縁開閉装置（ＧＩＳ）に特に有益であり、高圧のＡＩＳまたはＧＩＳに対してより好ましい。
【手続補正書】
【提出日】令和2年5月7日(2020.5.7)
【手続補正１】
【補正対象書類名】特許請求の範囲
【補正対象項目名】全文
【補正方法】変更
【補正の内容】
【特許請求の範囲】
【請求項１】
エンクロージャを備える回路遮断器であって、
互いに対して軸方向に移動可能な少なくとも２つのアーク接触子であって、前記アーク接触子が互いに分離される前記回路遮断器の開位置と、前記アーク接触子が互いに接触する前記回路遮断器の閉位置との間で移動可能な、少なくとも２つのアーク接触子と、
前記アーク接触子が前記回路遮断器の前記閉位置から前記開位置に移動している間に形成される可能性がある電気アークを遮断するために、アーク制御ガスを吹き付けるように構成されたガス入口であって、前記アーク制御ガスは少なくとも８０％の二酸化炭素を含む、ガス入口とを備え、
前記エンクロージャは、アーク放電中に前記二酸化炭素がイオン化された後に形成される一酸化炭素を二酸化炭素に変換する触媒物質をさらに含み、前記触媒物質は、セリアおよび貴金属を含む、
回路遮断器。
【請求項２】
前記貴金属が金および／または白金である、請求項１に記載の回路遮断器。
【請求項３】
前記触媒物質が、０．５重量％〜２０重量％、好ましくは０．５％〜５重量％の貴金属を含む、請求項１乃至２のいずれか一項に記載の回路遮断器。
【請求項４】
前記触媒物質が粒子の形態である、請求項１または３に記載の回路遮断器。
【請求項５】
前記粒子の直径が１ｍｍ〜１０ｍｍ、好ましくは１ｍｍ〜５ｍｍである、請求項４に記載の回路遮断器。
【請求項６】
前記触媒物質が、セラミック基板によって支持される、請求項１乃至５のいずれか一項に記載の回路遮断器。
【請求項７】
前記触媒物質が、コージェライト基板によって支持される、請求項６に記載の回路遮断器。
【請求項８】
前記触媒物質が、セリアおよび貴金属からなる、請求項１乃至７のいずれか一項に記載の回路遮断器。
【請求項９】
前記触媒物質が、ＺｒＯ２および／またはランタニド（ｌａｎｔｈａｎｉｄｅ）などの金属酸化物を含む、請求項１乃至７のいずれか一項に記載の回路遮断器。
【請求項１０】
前記アーク制御ガスが、二酸化炭素ＣＯ２で構成される、請求項１乃至９のいずれか一項に記載の回路遮断器。
【請求項１１】
前記アーク制御ガスが、ＣＯ２と、２，３，３，３−テトラフルオロ−２−（トリフルオロメチル）−２−プロパンニトリル、１，１，１，３，４，４，４−ヘプタフルオロ−３−（トリフルオロメチル）−２−ブタノン、２，３，３，３−テトラフルオロプロペン、１，３，３，３−テトラフルオロプロペンまたはフルオロオキシランなどの少なくとも１つのフッ素化合物とを含むガス混合物である、請求項１乃至９のいずれか一項に記載の回路遮断器。
【請求項１２】
前記アーク制御ガスが、９０〜９７体積％の二酸化炭素と、３〜１０体積％の１つ以上のフッ素化合物とを含む、請求項１１に記載の回路遮断器。
【請求項１３】
前記エンクロージャが、１００℃を下回る温度である、請求項１乃至１２のいずれか一項に記載の回路遮断器。
【請求項１４】
請求項１乃至１３のいずれか一項で定義されているような回路遮断器を備える、空気絶縁開閉装置（ＡＩＳ）。
【請求項１５】
請求項１乃至１３のいずれか一項で定義されているような回路遮断器を備える、ガス絶縁開閉装置（ＧＩＳ）。
【国際調査報告】
2020520545.tif 000002
2020520545.tif 000003
2020520545.tif 000004